(57)【特許請求の範囲】
【請求項１】
断面が略Ｕ形のモール等の部材を複数本平行して収納する装置であって、
上端縁部に、長さ方向に所定間隔で複数の上向き係合凹部を設け、前後に離間して平行に配設される複数の櫛歯状の段ボール材からなる横桁部材と、下端縁部に長さ方向に前記横桁部材の係合凹部と係合する下向き係合凹部を設け、左右に離間して平行に配設される段ボール材からなる縦桁部材とからなり、
前記横桁部材の上向きの係合凹部と前記縦桁部材の下向きの係合凹部とを係合し、自立可能に該横桁部材と縦桁部材とを格子状に組み付けるとともに、
前記縦桁部材には前後方向に離間して複数個の突片部を起立設置し、該突片部に前記Ｕ形のモール等の部材の溝を嵌合保持するようにした、
ことを特徴とする自動車用モール等の収納装置。
【発明の詳細な説明】
【０００１】
【発明の属する技術分野】
本発明は、自動車用モールのような断面がＵ形の部材の段ボール製の収納装置に関する。
【０００２】
【従来の技術】
自動車用モール等の収容装置として従来特開平８−１１９３１４号公報開示の技術がある。
同公報開示の技術は、収容箱内に上に吸着シートを貼着した台紙を収容し、吸着シートは、小さな吸盤を多数設けた密着性を有する樹脂材で構成されている。
上記の吸着シート上に自動車用モールを載置し、該モールを吸着シートに押しつけることで該吸着シートを厚さ方向に縮ませ、この範囲内の空気を排除して該モールを吸着するものである。
【０００３】
【発明が解決しようとする課題】
以上の従来技術は、収容箱内に収容するモール支持部材である台紙に樹脂製の吸着シートを貼着するので構造が複雑であること、備品点数が多いこと、吸着シートは空気を給排する吸盤構造なので、吸着シート自体の構造も複雑であり、コスト的にも不利であること、モールの装着作業が面倒、煩雑であること等の課題がある。
また台紙に貼着される吸着シートは樹脂材で形成しているので、収容箱、台紙を紙製としても、構成部材中に樹脂材が混入していることとなり、そのままでは消却等の廃棄処分をすることができず、環境上好ましくないこと、また再生利用に際しては樹脂シートを除去する等の作業を必用とし、再生利用しがたいこと等の不利もある。
【０００４】
本発明は、自動車用モール等の収容における従来技術の以上の課題を解決すべくなされたものである。
本発明の目的とする処は、複数の自動車用モール等を簡素な構成で、しかも着脱容易と確実な収納、保持という相反する要求を合理的にマッチングしつつ解決し、コスト的に有利に収納しうる自動車用モール等の収納装置を提供する。
また本発明の主要な目的としては、上記を達成しつつ収納装置の全構成部材を段ボール紙製とし、反復した複数回の再使用を可能とし、且つ再生利用、廃棄等に際し、環境上も極めて好ましい自動車用モール等の収納装置をも提供するものである。
【０００５】
【課題を解決するための手段】
上記目的を達成するために請求項１は、断面が略Ｕ形のモール等の部材を複数本平行して収納する装置であって、上端縁部に、長さ方向に所定間隔で複数の上向き係合凹部を設け、前後に離間して平行に配設される複数の櫛歯状の段ボール材からなる横桁部材と、下端縁部に長さ方向に前記横桁部材の係合凹部と係合する下向き係合凹部を設け、左右に離間して平行に配設される段ボール材からなる縦桁部材とからなり、横桁部材の上向きの係合凹部と前記縦桁部材の下向きの係合凹部とを係合し、自立可能に該横桁部材と縦桁部材とを格子状に組み付けるとともに、縦桁部材には前後方向に離間して複数個の突片部を起立設置し、該突片部にＵ形のモール等の部材の溝を嵌合保持するようにしたことを特徴とする。
【０００６】
請求項１では、横桁部材で自立する縦桁部材が、相互に平行して複数本並置され、これの突片部に溝を嵌合することで、自動車用モール等を平行して複数本近接並置して収容することができ、可撓性を有する自動車用モールを小さなスペース内に複数本確実に収納、保持することができる。
【０００７】
【発明の実施の形態】
本発明の実施の形態を添付図に基づいて以下に説明する。なお、図面は符号の向きに見るものとする。
図１は、本発明に係る収納装置を構成する縦桁部材及び横桁部材の分解斜視図である。
図１において１は収納装置全体を示し、図では分解状態を示し、２…（…複数を表す。以下同じ）は横桁部材を、５…は縦桁部材を示し、横桁部材２…及び縦桁部材５…は何れも段ボール紙で形成されており、横桁部材２…は左右方向に延びる桁状材であり、縦桁部材５…は前後方向に延びる桁状材である。
【０００８】
横桁部材２…は、前記したように左右方向に延び、下端部２ａは直線状で平坦であり、上端部２ｂには、長さ方向（左右方向）に所定ピッチで上方に開放した係合凹部３…を設け、係合凹部３…は図では長さ方向（左右方向）に小ピッチで１０個備える。
横桁部材２は、図示例では前後の離間して４個備え、実施の形態では前後のもの２Ａ，２Ａに対しこの間の中間のもの２Ｂ，２Ｂの背を低く設定した。
以上により、横桁部材２…は、係合凹部３…により上向きの櫛歯状部材を構成することとなる。
【０００９】
縦桁部材５…は、前記したように前後方向に延び、下端部５ａは直線状で平坦であり、該下端部５ａには、前記した横桁部材２…と係合する下向きに開放した係合凹部６…が設けられており、係合凹部６…は前記した横桁部材２の数と同数、即ち４個設けられている。
縦桁部材５の上端部５ｂには、前後に離間して所定ピッチで複数個の突片部７…を一体に起立設置し、突片部７…は前後方向に長さを有し、収納対象である断面が略Ｕ形の部材、例えば自動車用モールを嵌合し易く、且つ取り外しし易く、しかも確実な保持等を考慮して前後方向の長さを決定する。
【００１０】
縦桁部材５…の突片部７…間の上端部５ｂは、結果的に凹部８…を形成し、図で明示したように前後方向に長さを有する凹凸構造体を構成する。
以上の縦桁部材５…は、図では左右に平行に並置して２本示したが、前記したように横桁部材２…は、実施の形態では１０個の係合凹部３…を有するので、左右方向に並置するように１０本の縦桁部材５…を用意する。
【００１１】
図２は、横桁部材２及び縦桁部材５を係合部３…、６…で係合し、自立可能に組み立てて格子状の収納装置１を形成した状態の説明的斜視図である。
図１において鎖線▲１▼…で示したように、横桁部材２…を前後方向に離間して平行に並置し、その上端部２ｂに上向きに開放するように形成した係合凹部３…を、前記縦桁部材５…の下端部５ａに形成した下向き開放の係合凹部６…に係合する。
これにより、前後に４本の横桁部材２…を平行して並置して備え、左右方向に１０本の横桁部材５…が近接しつつ平行して並置され、前後方向を向くように配設され、この結果図２に示すように格子状の収納装置１が形成されることとなる。
【００１２】
図３は、格子状の収納装置の要部を断面とした要部の拡大側面図、図４は、図３の４−４線断面図である。
各縦桁部材５…の前後に位置する横桁部材２Ａ，２Ａ間の上端部を形成する突片部７…の上から、図４で明示したように断面がＵ形（逆Ｕ形）の樹脂製等の自動車用モール１０をその下向きの溝１１を介して図３及び図４の矢印▲２▼に示すように上から被せるように嵌合する。
【００１３】
嵌合した状態を鎖線Ｃで示した。鎖線Ｃで嵌合、保持状態を示したように、自動車用モール１０は、溝１１の深さ（上方への深さ）が突片部７…の高さよりも若干浅く、上から溝１１を介して容易に突片部７…に自動車用モール１０を嵌合、保持することができ、図３に示したように図示では前後に離間して３個の突片部７…及び前後の横桁部材２Ａ，２Ａ間に自動車用モール１０は嵌合、保持されることとなる。
自動車用モール１０の突片部７…への嵌合が容易であるとともに、該モール１０は、図４の鎖線Ｃで明らかなように、下端部Ｃ１が凹部８よりも少しく上方に位置するので、該モール１０の取り外し時においては下端部Ｃ１の一側下方に指等が入れ易く、該モール１０の取り外しは容易である。
【００１４】
図２においては、格子状の収納装置１を梱包箱２０に収納する状態を示し、収納装置１の左右方向に近接して平行に並置した縦桁部材５…に上から、前記したように自動車用モール１０…を嵌合、保持させる。
図５は、収納装置を収納した梱包箱２０の縦断面図である。
図で明らかなように、例えば上記したように縦桁部材５…の突片部７…に下向きに溝を向けて嵌合した自動車用モール１０…を保持した収納装置１を上下に、図では３段に積層した状態で梱包箱２０に収納する。
【００１５】
ところで、自動車用モール１０…を嵌合、保持した状態の収納装置１…を梱包箱２０内に複数段に積層状に収納することで、多数のモールを一括して収納、運搬することができる。
この場合、自動車用モール１０…を嵌合、保持した状態の収納装置１…を上下に積層した場合、モールが傷む虞がある。そこで実施の形態では、縦桁部材５…、横桁部材２…の底と下の該モール１０…との間及び梱包箱の閉蓋フラップ２０ａとの間に仕切り板２１…を介装し、梱包箱２０内で収納装置１…を介して複数段段積みした自動車用モール１０…を保護した。
【００１６】
以上、実施の形態を説明したが、収納装置１において嵌合、保持する対象は、上記したように自動車用モールに限られず、断面が略Ｕ形の部材で、長さを有し、可撓性を有したり、或いは曲げたりすることが好ましくなく、直線状で収納、保持する部材の収納に用いることができる。
【００１７】
【発明の効果】
本発明は上記構成により次の効果を発揮する。
請求項１は、断面が略Ｕ形のモール等の部材を複数本平行して収納する装置であって、上端縁部に、長さ方向に所定間隔で複数の上向き係合凹部を設け、前後に離間して平行に配設される複数の櫛歯状の段ボール材からなる横桁部材と、下端縁部に長さ方向に前記横桁部材の係合凹部と係合する下向き係合凹部を設け、左右に離間して平行に配設される段ボール材からなる縦桁部材とからなり、横桁部材の上向きの係合凹部と縦桁部材の下向きの係合凹部とを係合し、自立可能に横桁部材と縦桁部材とを格子状に組み付けるとともに、縦桁部材には前後方向に離間して複数個の突片部を起立設置し、突片部にＵ形のモール等の部材の溝を嵌合保持するようにした。
【００１８】
請求項１では、横桁部材で自立する縦桁部材が、相互に平行して複数本並置され、これの突片部に溝を嵌合することで、自動車用モール等を平行して複数本近接並置して収容することができ、可撓性を有する自動車用モールを小さなスペース内に複数本確実に収納、保持することができる。
また収納装置は、横桁部材と縦桁部材を、向き合うそれぞれの係合凹部を係合することで自立可能なモール等の保持、収納装置を形成することができるので、構造簡素、最少の部品で形成することができ、部品点数が少なくてすみ、しかも樹脂等の異材を用いることなく、段ボール紙のみで収納しにくい自動車用モール等を複数本同時に、整理して、取り出し易く収納する収納装置を制作することができる。
【００１９】
また本発明は、縦桁部材の前後方向に離間して起立設置した複数個の突片部にモール等の溝を被せて嵌合するので、モール等の全長にわたり溝嵌合せず、縦桁部材の前後方向に離間設置した複数個の突片部でモール等を溝嵌合することとなり、モール等の収納装置への嵌合、セットが容易であり、またモール等の取り出しも容易である。
さらに本発明は、縦桁部材と横桁部材との係合凹部相互の係合なので、組み立て、分解し易く、組み立て分解時においては、縦桁部材の起立した突片部を介して作業することで作業が容易であり、また全ての部材が段ボール紙製なので再利用が容易に可能であり、再利用上、省資源上も極めて有利である。
【図面の簡単な説明】
【図１】本発明に係る収納装置を構成する縦桁部材及び横桁部材の分解斜視図
【図２】横桁部材及び縦桁部材を係合し、自立可能に組み立てて格子状の収納装置を形成した状態の説明的斜視図
【図３】格子状の収納装置の要部を断面とした要部の拡大側面図
【図４】図３の４−４線断面図
【図５】収納装置を収納した梱包箱２０の縦断面図
【符号の説明】
１…収納装置  、２…横桁部材  、３…係合凹部  、５…縦桁部材  、６…係合凹部、７…突片部  、１０…Ｕ形部材。
【図１】
0003961881.tif 000002
【図２】
0003961881.tif 000003
【図３】
0003961881.tif 000004
【図４】
0003961881.tif 000005
【図５】
0003961881.tif 000006